(57)【要約】【課題】遊技店による消費税の徴収行為を明示しつつ、遊技客から消費税を徴収することを課題とする。【解決手段】カード処理ユニット５０は、遊技媒体の消費に課される消費税を徴収して玉貸しを行う場合に、「消費税内包貸出要求金額」から消費税分の金額が除かれた「消費税抜き貸出要求金額」に相当する貸出数のうち、少なくとも「遊技機側投出機構」の貸出単位に満たずに投出不可能となる端数のパチンコ玉を「貸出機投出機構」に貸し出すように指示する玉貸し処理部５８ａを備える。【選択図】  図３
2015091472.tif 000002
【特許請求の範囲】
【請求項１】
遊技機と隣接し、遊技に用いられる遊技媒体の投出処理を行う台間装置であって、
遊技者に対して発行される記録媒体を受け付ける記録媒体受付手段と、
前記記録媒体受付手段が受け付けた記録媒体に基づいて投出指示を受け付け、投出処理を行う投出処理手段と
を備え、
前記投出処理手段は、
投出対象となる遊技媒体数のうち、所定数ずつの遊技媒体数を前記遊技機の投出機構へ投出指示し、前記所定数に満たない遊技媒体数を前記台間装置の投出機構から投出する
ことを特徴とする台間装置。
【請求項２】
前記投出処理手段は、
前記所定数に満たない端数分の遊技媒体数があった場合に、前記台間装置の投出機構から投出する
ことを特徴とする請求項１に記載の台間装置。
【請求項３】
前記投出処理手段により投出対象となる遊技媒体数に関連する情報を表示する表示制御手段をさらに備えたことを特徴とする請求項１または２に記載の台間装置。
【発明の詳細な説明】
【技術分野】
【０００１】
本発明は、遊技媒体投出機構を有する遊技機と通信可能に接続して隣接配置され、記録媒体を受け入れて、遊技媒体投出要求に応じた個数の遊技媒体の投出処理を行う台間装置に関する。
【背景技術】
【０００２】
従来より、パチンコ玉やメダルなどの遊技媒体を貸し出す遊技媒体貸出装置として、投入された記録媒体の価値（例えば、貨幣の金額または金額に相当する価値を示す価値データ）に基づいて遊技媒体を貸し出すカード処理ユニットがよく知られている（例えば、特許文献１参照。）。
【０００３】
また、遊技客によって投入された紙幣を受け入れた際にユニット単体でカードを発行し、遊技客からのカードの読込要求を受けてそのカードを読み込み、さらに遊技媒体の貸出要求を受け付けて所定数量の遊技媒体を遊技機の受け皿（貯留領域）へ投出するカード処理ユニットも提案されている（例えば、特許文献２参照。）。
【０００４】
これらのカード処理ユニットでは、遊技媒体貸出要求を受け付けた有価価値に相当する貸玉数のパチンコ玉を遊技機内部の玉投出機構（「遊技機側投出機構」とする）に貸し出すように指示してパチンコ玉の貸出処理を行っている。なお、この「遊技機側投出機構」は、「２５個」単位でパチンコ玉の投出を行うものが一般的である。
【０００５】
このため、１玉４円で「パチンコ玉」を貸し出す場合、遊技に投資される金種に小額硬貨（１００円未満の硬貨）が含まれない限り、遊技に投資された金額に相当する貸出数のパチンコ玉を過不足なく貸し出すことができる。
【０００６】
ところが、これらのカード処理ユニットでは、遊技機内部の「遊技機側投出機構」では１個単位での遊技媒体の投出が不可能であるという問題がある。
【０００７】
例えば、記録媒体に基づいて「２３９個」のパチンコ玉を投出する必要がある場合に、かかる「遊技機側投出機構」では、この「２３９個」のうち、貸出単位（２５個）の整数倍である「２２５個」を投出することはできても、貸出単位に満たない数量「１４個」を投出することはできない。
【０００８】
一方で、遊技媒体の貸し出しに記録媒体が実質的に介在する必要がないことから、記録媒体を使用せず、現金の投入によって直接玉貸しを行う玉貸ユニットも開発されている（例えば、特許文献３参照。）。
【０００９】
この玉貸ユニットは、カード処理ユニットのように遊技機内部の「遊技機側投出機構」に玉貸し指示を行うものではなく、当該ユニットに設けられたノズル式の玉投出機構からパチンコ玉を投出するものであり、また、このノズル式の玉投出機構では、１個単位でパチンコ玉を投出することが可能である。
【先行技術文献】
【特許文献】
【００１０】
【特許文献１】特開２００４−２２２９７９号公報
【特許文献２】特開２０００−１４０３９４号公報
【特許文献３】特開２００５−０００２２３号公報
【発明の概要】
【発明が解決しようとする課題】
【００１１】
ところで、記録媒体に基づいて、遊技機からの投出単位に満たない数量の遊技媒体を投出する必要がある場合において、現行の遊技機の遊技機側投出機構を利用したい場合には、ユニットに設けられたノズル式の玉投出機構からパチンコ玉を投出するユニットを併設することが考えられる。しかしながら、これらの両方のユニットを併設することとしたのでは、極めて膨大な設備投資費用が必要となる。
【００１２】
そこで、本発明は、上述した従来技術による課題（問題点）を解消するためになされたものであり、遊技機からの投出単位に満たない数量の遊技媒体を投出する必要がある場合であっても遊技機側投出機構を遊技媒体の投出に利用することができる台間装置を提供することを目的とする。
【課題を解決するための手段】
【００１３】
上述した課題を解決し、目的を達成するために、本発明は、遊技機と隣接し、遊技に用いられる遊技媒体の投出処理を行う台間装置であって、遊技者に対して発行される記録媒体を受け付ける記録媒体受付手段と、前記記録媒体受付手段が受け付けた記録媒体に基づいて投出指示を受け付け、投出処理を行う投出処理手段とを備え、前記投出処理手段は、投出対象となる遊技媒体数のうち、所定数ずつの遊技媒体数を前記遊技機の投出機構へ投出指示し、前記所定数に満たない遊技媒体数を前記台間装置の投出機構から投出することを特徴とする。
【発明の効果】
【００１４】
本発明によれば、遊技機と隣接し、遊技に用いられる遊技媒体の投出処理を行う台間装置であって、遊技者に対して発行される記録媒体を受け付ける記録媒体受付手段と、前記記録媒体受付手段が受け付けた記録媒体に基づいて投出指示を受け付け、投出処理を行う投出処理手段とを備え、前記投出処理手段は、投出対象となる遊技媒体数のうち、所定数ずつの遊技媒体数を前記遊技機の投出機構へ投出指示し、前記所定数に満たない遊技媒体数を前記台間装置の投出機構から投出することとしたので、遊技機からの投出単位に満たない数量の遊技媒体を投出する必要がある場合でも円滑に運用できる。
【図面の簡単な説明】
【００１５】
【図１】本発明に係る遊技システムの概略構成を示すブロック図である。
【図２】本発明に係るカード処理ユニットの概要および特徴を説明するための説明図である。
【図３】実施例１に係るカード処理ユニットの構成を示すブロック図である。
【図４】玉貸設定テーブルに記憶される情報の構成例を示す図である。
【図５】貸玉数振り分けテーブルに記憶される情報の構成例を示す図である。
【図６−１】投出順序を説明するための説明図である。
【図６−２】投出順序を説明するための説明図である。
【図７】実施例１に係るカード処理ユニットの処理手順を示すフローチャートである。
【発明を実施するための形態】
【００１６】
以下に添付図面を参照して、本発明に係る台間装置（遊技媒体貸出処理装置）の好適な実施例を詳細に説明する。なお、以下では、本発明に係る遊技媒体貸出処理装置（以下、カード処理ユニット）の概要および特徴を説明した後に、実施例１に係るカード処理ユニットを説明し、最後に、他の実施例として種々の変形例（実施例２）を説明することとする。
【００１７】
また、ここでは、本発明に係る遊技媒体貸出処理装置（遊技媒体貸出処理方法）を「パチンコ玉」の玉貸し処理を行う遊技媒体貸出処理装置（以下、カード処理ユニット）に適用した場合を説明するが、本発明はこれに限定されるものではなく、「メダル」のメダル貸し処理をおこなうカード処理ユニットにも同様に適用することができる。
【００１８】
（概要および特徴）
まず最初に、本発明に係る遊技システムの全体構成を説明する。図１は、本発明に係る遊技システムの概略構成を示すブロック図である。同図に示すように、遊技店内に設置される遊技システムは、ターミナルコントローラ（以下、Ｔ／Ｃと称す。）１０を中心にして、プリペイドカード管理Ｔ／Ｃ２０、「島」と呼ばれるグループごとに設けられた島コントローラ３０およびカード発行機６０が接続された構成となり、さらに、島コントローラ３０には、各島に設置された複数のパチンコ機４０それぞれに併設されたカード処理ユニット５０が接続されている。
【００１９】
この遊技システムでは、従来から用いられている会員カードＭＣ（会員登録を行った遊技者（会員）に対して遊技店から発行され、発行店の識別情報や会員コードなどの会員識別情報が記憶される）や、プリペイドカードＰＣ（カード発行機６０により遊技者に対して発行され、発行店の識別情報、カード固有の識別コード、発行額、カード種別などが記録される）を記録媒体として用いることができる。
【００２０】
パチンコ機４０は、パチンコ玉を遊技領域に発射して遊技者が遊技をおこなう装置である。また、カード処理ユニット５０は、プリペイドカードＰＣに関連付けられた度数の残数（以下、残度数という）や、会員カードＭＣに価値付けられた貯玉数を上限としてパチンコ玉の貸出し処理をおこなうことを主機能とするものであり、遊技店に設置された複数のパチンコ機４０それぞれに対して１台ずつペアとなるように用意され、パチンコ機４０の相互間に挟まれる形で設置してある。
【００２１】
カード発行機６０は、現金が入金された場合に、該入金金額に応じた有価価値（度数）が関連付けられるプリペイドカードＰＣの発行処理並びにプリペイドカードＰＣに関連付けられた度数に対する加算処理を主機能とするものであり、遊技店に数台設置されている。
【００２２】
遊技者は、カード発行機６０から発行されたプリペイドカードＰＣをカード処理ユニット５０に挿入して、パチンコ玉の貸出操作をおこなうことで、遊技者はパチンコ玉を借り受けることができ、もってパチンコ遊技を行うことが可能となる。
【００２３】
これらのパチンコ機４０、カード処理ユニット５０およびカード発行機６０は、各島に設けた島コントローラ３０を通じてターミナルコントローラ（Ｔ／Ｃ）１０と称される管理装置の制御下にある。
【００２４】
Ｔ／Ｃ１０は、遊技店に少なくとも１台設置してあり、設置した遊技店の統括管理、例えばカード管理、会員の管理、売上管理などをおこなうとともに、プリペイドカードＰＣ並びに会員カードＭＣの有価価値に関する情報を記憶管理する部分である。但し、本実施例では、プリペイドカードＰＣの情報管理は、プリペイドカード管理Ｔ／Ｃ２０が担っているものとする。
【００２５】
プリペイドカード管理Ｔ／Ｃ２０は、プリペイドカードの識別情報（プリペイドカードＩＤ）およびこのプリペイドカードの残度数を記憶管理する装置である。具体的には、カード処理ユニット５０からプリペイドカードＩＤとともに「度数減算指示」を受信したならば、当該プリペイドカードの残度数を貸出度数分について減算した後、カード処理ユニット５０に「度数減算完了通知」を返信する。なお、本実施例では、カードに記録した磁気データを改ざんするなどの不正行為を防止する観点から、プリペイドカードには「度数」を記録せず、プリペイドカードの識別情報のみを記録する構成を採用することとする。
【００２６】
ここで、本発明に係るカード処理ユニット５０は、遊技媒体貸出要求を受け付けた「貸出要求金額」を消費税が含まれた「消費税内包貸出要求金額」として遊技媒体の消費に課される消費税を徴収して遊技媒体の貸し出しを行う場合に、「消費税内包貸出要求金額」から当該消費税分の金額が除かれた「消費税抜き貸出要求金額」に相当する貸出数のうち、少なくとも「遊技機側投出機構」の貸出単位に満たずに投出不可能となる端数の遊技媒体を「貸出機投出機構」に貸し出すように指示する点に主たる特徴があり、このようにカード処理ユニットを構成することで、遊技店による消費税の徴収行為を明示しつつ、遊技客から消費税を徴収することができるようにしている。
【００２７】
この主たる特徴を具体的に説明すると、本発明に係るカード処理ユニット５０は、「消費税抜き貸出要求金額」に相当する貸出数のうち、「遊技機側投出機構」の貸出単位の倍数であり、かつ貸出数に最も近い倍数となる玉数のパチンコ玉を「遊技機側投出機構」に貸し出すように指示するとともに、「遊技機側投出機構」の貸出単位に満たずに投出不可能となる端数のパチンコ玉を「貸出機投出機構」に貸し出すように指示している。
【００２８】
例えば、図２に示すように、玉貸要求を受け付けた貸出要求金額が「１０００円」である場合（貸出要求度数が「１０度数」である場合）に、このカード処理ユニット５０は、消費税内包貸出要求金額「１０００円」から消費税分の金額が除かれた消費税抜き貸出要求金額「９５２．３８円」に相当する貸出数「２３９個」のうち、「遊技機側投出機構」の貸出単位（２５個／回）の倍数であり、かつ貸出数に最も近い倍数となる玉数「２２５個」（２５個／回×９回）のパチンコ玉を「遊技機側投出機構」に貸し出すように指示するとともに、「遊技機側投出機構」の貸出単位に満たずに投出不可能となる端数「１４個」のパチンコ玉を「貸出機投出機構」に貸し出すように指示している。
【００２９】
このように、「消費税抜き貸出要求金額」に相当する貸出数のうち、「遊技機側投出機構」の貸出単位に満たずに投出不可能となる端数の遊技媒体を「貸出機投出機構」に貸し出すように指示することで、遊技媒体の貸出数に変更があったことを明確に示し、遊技店による料金体系の変更（消費税サービス→消費税徴収）を遊技客に明示することができる。
【００３０】
したがって、上記した従来技術の例で言えば、遊技客に貸し出すべきパチンコ玉すべてをノズルから画一的に投出するのではなく、「消費税抜き貸出要求金額」に相当する貸出数のうち、「遊技機側投出機構」の貸出単位に満たずに投出不可能となる端数のパチンコ玉を「貸出機投出機構」に貸し出すように指示することで、遊技店による料金体系の変更を遊技客に明示することができ、上記した主たる特徴のように、遊技店による消費税の徴収行為を明示しつつ、遊技客から消費税を徴収することが可能になる。
【００３１】
さらに、本発明に係るカード処理ユニット５０によれば、遊技店による料金体系の変更を明示するために、「遊技機側投出機構」の貸出単位に満たずに投出不可能となる端数のパチンコ玉を「貸出機投出機構」に貸し出すように指示しつつも、貸出数の大半となる玉数を「遊技機側投出機構」に貸し出すように指示するので、消費税を徴収しても「ＣＲ機」の特徴であるパチンコ機からの玉貸しを継続して行うことができ、遊技客による遊技機の遊技性能の誤認を防止することが可能になる。
【実施例１】
【００３２】
次に、実施例１に係るカード処理ユニットを説明する。なお、ここでは、本実施例１に係るカード処理ユニットの構成を説明した後に、このカード処理ユニットの各種処理の手順を説明する。
【００３３】
（カード処理ユニットおよび遊技機の構成）
図３は、実施例１に係るカード処理ユニットの構成を示すブロック図である。同図に示すように、このカード処理ユニット５０は、ＢＶユニット５１と、表示部５２と、入力部５３と、カードリーダ（以下、Ｃ／Ｒと言う）５４と、通信制御ＩＦ部５５と、玉投出機構部５６と、記憶部５７と、制御部５８とを備える。
【００３４】
このうち、ＢＶユニット５１は、紙幣挿入口（図示せず）に挿入された紙幣の金種を識別する紙幣識別機であり、識別した挿入紙幣の金種を制御部５８に出力する。なお、挿入紙幣が偽造紙幣である場合には、当該紙幣を返却する。
【００３５】
表示部５２は、各種の情報を表示するＬＥＤや液晶などの出力表示手段であり、例えば、一度の玉貸操作で受け付ける貸出要求金額または貸出要求度数や、ＢＶユニット５１で識別された挿入貨幣の金額などを表示する。なお、本実施例１では、パチンコ機４０の残金額表示部４３でプリペイドカードの残金額を表示することとするが、本発明はこれに限定されるものではなく、この表示部５２で表示するようにしても良いし、これらの表示部５２および残金額表示部４３の両方で表示するようにしても良い。
【００３６】
入力部５３は、各種の情報を入力するボタンなどの指示入力手段であり、例えば、一度の玉貸操作で受け付ける貸出要求金額或いは貸出要求度数の設定入力を受け付ける。なお、本実施例１では、パチンコ機４０の玉貸ボタン４１を介して玉貸要求を受け付けることとするが、本発明はこれに限定されるものではなく、この入力部５３で玉貸要求を受け付けるようにしても良い。
【００３７】
Ｃ／Ｒ５４は、カード挿入口（図示せず）に挿入されたプリペイドカードや会員カードなどの各種カードに記録された情報を読み込むカードリーダであり、具体的には、これら各種カードからプリペイドカードの識別情報や会員カードの識別情報を読み込み、該読み込んだ情報を制御部５８に出力するものである。
【００３８】
通信制御ＩＦ部５５は、当該カード処理ユニット５０と他の装置（例えば、Ｔ／Ｃ１０、プリペイドカード管理Ｔ／Ｃ２０、島コントローラ３０およびパチンコ機４０などの装置）の間で各種通信の制御を行う処理部である。
【００３９】
玉投出機構部５６は、貸出処理機に設置されるノズル式の玉投出機構であり、任意の貸出単位でパチンコ玉を投出することができる。具体的には、玉貸し処理部５８ａによる玉貸指示を受け付けた場合に、この玉貸指示に対応する玉数のパチンコ玉をノズルから投出する。なお、この玉投出機構部５６は、特許請求の範囲における「処理装置側投出機構」に相当する。
【００４０】
記憶部５７は、制御部５８による各種処理に必要なデータおよびプログラムを格納する格納手段（記憶手段）であり、玉貸設定テーブル５７ａおよび貸玉数振り分けテーブル５７ｂを備える。
【００４１】
このうち、玉貸設定テーブル５７ａは、パチンコ玉の貸出設定を記憶するテーブルであり、例えば、図４に示すように、消費税の徴収可否「○」、消費税の税率「５％」および投出順序「遊技機優先」などの貸出設定を記憶している。
【００４２】
このように、ノズル式の玉投出機構部５６およびパチンコ機４０の玉投出機構部４５の投出順序を制御する理由は、かかる投出順序を考慮せずにパチンコ機４０の貯留領域にパチンコ玉を投出すると、パチンコ機４０の上皿の形状によっては、遊技客に不利益をあたえるおそれがあるからである。
【００４３】
これを具体的に説明すると、パチンコ機４０からパチンコ玉を先に貸し出した場合には、後に貸し出されるノズル式の玉投出機構部５６からのパチンコ玉を、先に上皿に敷き詰められたパチンコ玉の上に貯留させることができる反面、パチンコ玉を上皿からあふれさせるおそれがあり、また、ノズル式の玉投出機構部５６から先にパチンコ玉を貸し出した場合には、パチンコ玉を上皿にあふれさせずに貯留させることができる反面、下皿にもパチンコ玉が貯留されるため、パチンコ玉が下皿に置き忘れられるおそれがある。
【００４４】
このため、ノズル式の玉投出機構部５６およびパチンコ機４０の玉投出機構部４５からのパチンコ玉の投出順序をパチンコ機４０の上皿の形状に応じて制御する必要がある。
【００４５】
例えば、図６−１に示すように、上皿の底面積が広い場合や上皿の高さが大きい場合には、パチンコ機４０の玉投出機構部４５に玉貸指示を行った後に、ノズル式の玉投出機構部５６に玉貸指示を行う「遊技機優先」を投出順序として設定する。
【００４６】
この場合に、投出順序を「遊技機優先」と設定することとしたのは、上皿からパチンコ玉がこぼれる危険性が少ないことから、一度の玉貸しで貸し出したパチンコ玉を下皿に貯留させずに、上皿に集約して貯留させるためである。
【００４７】
また、図６−２に示すように、上皿の底面積が狭い場合や上皿の高さが小さい場合には、ノズル式の玉投出機構部５６に玉貸指示を行った後に、パチンコ機４０の玉投出機構部４５に玉貸指示を行う「貸出機優先」を投出順序として採用する。
【００４８】
この場合に、投出順序を「貸出機優先」と設定することとしたのは、上皿からパチンコ玉がこぼれる危険性が高いことから、一度の玉貸しで貸し出すパチンコ玉すべてを上皿に貯留させずに、上皿からあふれるパチンコ玉を下皿に貯留させるためである。
【００４９】
後述する玉貸し処理部５８ａでは、このようにして玉貸設定テーブル５７ａに記憶された「投出順序」に基づいて、パチンコ機４０の玉投出機構部４５およびノズル式の玉投出機構部５６に玉貸指示を行う。
【００５０】
貸玉数振り分けテーブル５７ｂは、遊技客に貸し出すべき貸出総数のうち、ノズル式の玉投出機構部５６が貸し出すべき玉数と、パチンコ機４０の玉投出機構部４５が貸し出すべき玉数との振り分け設定を記憶するテーブルである。
【００５１】
例えば、図５に示すように、玉貸要求を受け付けた「貸出要求金額」ごとに、パチンコ機４０の玉投出機構部４５に指示すべき玉貸指示の「回数」、並びにノズル式の玉投出機構部５６に指示すべき「貸玉数」を対応付けて記憶している。なお、本実施例１では、パチンコ機４０の玉投出機構部４５は、一回の玉貸指示で「２５個」のパチンコ玉を投出することとする。
【００５２】
これら玉貸設定テーブル５７ａおよび貸玉数振り分けテーブル５７ｂに記憶される設定情報は、消費税の税率変更時、パチンコ機の遊技機種の入れ替え時やＴ／Ｃ１０の起動時など任意のタイミングでＴ／Ｃ１０から取得される。
【００５３】
制御部５８は、ＯＳ（OperatingSystem）などの制御プログラム、各種の処理手順などを規定したプログラムおよび所要データを格納するための内部メモリを有し、これらによって種々の処理を実行する処理部であり、特に本発明に密接に関連するものとしては、玉貸し処理部５８ａを有する。
【００５４】
この玉貸し処理部５８ａは、遊技客からの玉貸要求を受け付けた場合に、パチンコ機４０にパチンコ玉を貸し出す処理部である。具体的には、「消費税抜き貸出要求金額」に相当する貸出数のうち、パチンコ機４０の玉投出機構部４５の貸出単位の倍数であり、かつ貸出数に最も近い倍数となる玉数のパチンコ玉を玉投出機構部４５に貸し出すように指示するとともに、パチンコ機４０の玉投出機構部４５の貸出単位に満たずに投出不可能となる端数のパチンコ玉をノズル式の玉投出機構部５６に貸し出すように指示する。
【００５５】
例えば、図４に示す「貸出設定」が玉貸設定テーブル５７ａに記憶され、図５に示す「振り分け設定」が貸玉数振り分けテーブル５７ｂに記憶されている場合に、遊技客から貸出要求額「１０００円」の玉貸要求を受け付けたならば、パチンコ機４０の玉投出機構部４５に「９回」の玉貸指示を行った後に、ノズル式の玉投出機構部５６に「１４個」の玉貸指示を行う。
【００５６】
この場合、図１に示すように、パチンコ機４０の玉投出機構部４５によって貸出単位「２５個／回」×玉貸指示「９回」＝「２２５個」のパチンコ玉が投出された後に、ノズル式の玉投出機構部５６によって「１４個」のパチンコ玉が投出される。
【００５７】
このように、「消費税抜き貸出要求金額」に相当する貸出数のうち、パチンコ機４０の玉投出機構部４５の貸出単位に満たずに投出不可能となる端数のパチンコ玉をノズル式の玉投出機構部５６に貸し出すように指示することで、同一の貸出要求金額に対するパチンコ玉の貸出数に変更があったことを明確に示し、遊技店による料金体系の変更（消費税サービス→消費税徴収）を遊技客に明示することができる。
【００５８】
また、遊技店による料金体系の変更を明示するために、パチンコ機４０の玉投出機構部４５の貸出単位に満たずに投出不可能となる端数のパチンコ玉をノズル式の玉投出機構部５６に貸し出すように指示しつつも、貸出数の大半となる玉数をパチンコ機４０の玉投出機構部４５に貸し出すように指示するので、消費税を徴収しても「ＣＲ機」の特徴であるパチンコ機からの玉貸しを継続して行うことができる。
【００５９】
さらに、パチンコ機４０の玉投出機構部４５に玉貸指示を行った後に、ノズル式の玉投出機構部５６に玉貸指示を行うことで、一度の玉貸しで貸し出したパチンコ玉を下皿に貯留させずに上皿に集約して貯留させることができ、パチンコ玉が下皿で置き忘れられることを防止することが可能になる。
【００６０】
また、上皿の底面積が狭いか、或いは上皿の高さが小さいパチンコ機には、ノズル式の玉投出機構部５６に玉貸指示を行った後に、パチンコ機４０の玉投出機構部４５に玉貸指示を行うことで、一度の玉貸しで貸し出すパチンコ玉すべてを上皿に貯留させずに、上皿からあふれるパチンコ玉を下皿に貯留させることができ、パチンコ玉が上皿からあふれることを確実に防止することが可能になる。
【００６１】
（各種処理の手順）
次に、本実施例１に係るカード処理ユニットの処理手順を説明する。図７は、実施例１に係るカード処理ユニットの処理手順を示すフローチャートである。同図に示すように、カード処理ユニット５０では、プリペイドカードや会員カードなどの各種カードを受け入れた場合、もしくは紙幣を受け入れた場合に、処理が開始されることとなる。なお、ここでは、玉貸設定テーブル５７ａに図４に示す「貸出設定」が記憶され、貸玉数振り分けテーブル５７ｂに図５に示す「振り分け設定」が記憶されている場合を例として説明する。
【００６２】
例えば、プリペイドカードまたは会員カードを受け入れた場合（ステップＳ７０１肯定）には、Ｃ／Ｒ５４は、プリペイドカードからプリペイドカードの識別情報を読み込み、該読み込んだ情報を制御部５８に出力する。
【００６３】
そして、制御部５８は、プリペイドカードの識別情報をもとに、当該プリペイドカードに価値付けられた残金額をプリペイドカード管理Ｔ／Ｃ２０から取得する（ステップＳ７０２）。
【００６４】
このとき、当該プリペイドカードに残金額があれば（ステップＳ７０３肯定）、制御部５８は、プリペイドカードの残金額をパチンコ機４０の残金額表示部４３に通知し、当該残金額を表示させる（ステップＳ７０４）。また、当該プリペイドカードに残金額がなければ（ステップＳ７０３否定）、Ｃ／Ｒ５４は、このプリペイドカードを返却する（ステップＳ７０５）。
【００６５】
一方、紙幣を受け入れた場合（ステップＳ７０１否定かつステップＳ７０６肯定）には、ＢＶユニット５１は、挿入貨幣の金種を識別し、該識別した挿入貨幣の金種を制御部５８に出力する。
【００６６】
続いて、制御部５８は、ＢＶユニット５１によって識別された挿入貨幣の金額を新たなプリペイドカード（内蔵カード）に価値付け（ステップＳ７０７）、価値付けられた金額を残金額としてパチンコ機４０の残金額表示部４３に通知し、当該残金額を表示させる（ステップＳ７０４）。
【００６７】
より具体的には、挿入貨幣の金額および内臓カードの識別情報をプリペイドカード管理Ｔ／Ｃ２０に通知し、当該内臓カードの識別情報に対応する残金額に挿入貨幣の金額分を加算する加算処理をプリペイドカード管理Ｔ／Ｃ２０に行わせて内蔵カードへの価値付けを行う。
【００６８】
ここで、遊技客から玉貸要求を受け付けた場合、例えばパチンコ機４０の玉貸ボタンを介して貸出要求金額「１０００円」の玉貸要求を受け付けた場合（ステップＳ７０８肯定）には、玉貸し処理部５８ａは、プリペイドカード管理Ｔ／Ｃ２０に対してプリペイドカードの識別情報の残金額から貸出要求金額「１０００円」を減算するよう要求し、プリペイドカード管理Ｔ／Ｃ２０に当該金額の減算を行わせる（ステップＳ７０９）。
【００６９】
続いて、玉貸し処理部５８ａは、パチンコ機４０の玉投出機構部４５に「９回」の玉貸指示を行った後に（ステップＳ９１０）、ノズル式の玉投出機構部５６に「１４個」の玉貸指示を行う（ステップＳ９１１）。
【００７０】
この場合、図１に示すように、パチンコ機４０の玉投出機構部４５によって貸出単位「２５個／回」×玉貸指示「９回」＝「２２５個」のパチンコ玉が投出された後に、ノズル式の玉投出機構部５６によって「１４個」のパチンコ玉が投出されることとなる。
【００７１】
なお、この処理は、パチンコ機４０の返却ボタン４２が押下され、プリペイドカードが返却されるか、或いはプリペイドカードの残金額がゼロになるまで、ステップＳ７０８〜Ｓ７１１の処理が回帰的に行われる。
【００７２】
上述してきたように、本実施例１に係るカード処理ユニット５０によれば、「消費税抜き貸出要求金額」に相当する貸出数のうち、「遊技機側投出機構」の貸出単位に満たずに投出不可能となる端数のパチンコ玉を「貸出機投出機構」に貸し出すように指示することで、遊技店による料金体系の変更を遊技客に明示することができ、遊技店による消費税の徴収行為を明示しつつ、遊技客から消費税を徴収することが可能になる。
【実施例２】
【００７３】
さて、これまで本発明の実施例について説明したが、本発明は上述した実施例以外にも、上記特許請求の範囲に記載した技術的思想の範囲内において種々の異なる実施例にて実施されてもよいものである。
【００７４】
また、実施例１では、消費税の税率を「５％」とした場合の実施例について説明したが、本発明はこれに限定されるものではなく、消費税の税率が任意の税率である場合にも同様に適用することができる。
【００７５】
なお、実施例１では、パチンコ機４０の玉投出機構部４５から、当該玉投出機構４５の貸出単位の倍数であり、かつ貸出数に最も近い倍数となる玉数のパチンコ玉を貸し出す実施例について説明したが、本発明はこれに限定されるものではなく、当該玉投出機構４５の貸出単位の倍数であれば、必ずしも貸出数に最も近い倍数である必要はない。すなわち、玉投出機構４５から貸し出す玉数を減らす場合には、ノズル式の玉投出機構部４６からその分の玉数を貸し出すようにすれば良い。
【００７６】
例えば、本発明では、ノズル式の玉投出機構部５６を着脱可能に構成し、消費税徴収時のみにカード処理ユニット５０に取り付けるようにしても良いし、また、ノズル式の玉投出機構部５６に故障などのトラブルが生じ、調整分のパチンコ玉をノズルから払い出せない場合には、消費税の徴収を行わずに、パチンコ機４０の玉投出機構４５から「消費税抜き貸出要求金額」に相当する玉数のパチンコ玉すべてを貸し出すようにしても良い。
【００７７】
また、本実施例において説明した各処理のうち、自動的におこなわれるものとして説明した処理の全部または一部を手動的におこなうこともでき、あるいは、手動的におこなわれるものとして説明した処理の全部または一部を公知の方法で自動的におこなうこともできる。この他、上記文書中や図面中で示した処理手順、制御手順、具体的名称、各種のデータやパラメータを含む情報については、特記する場合を除いて任意に変更することができる。
【００７８】
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。さらに、各装置にて行なわれる各処理機能は、その全部または任意の一部が、ＣＰＵおよび当該ＣＰＵにて解析実行されるプログラムにて実現され、あるいは、ワイヤードロジックによるハードウェアとして実現され得る。
【産業上の利用可能性】
【００７９】
以上のように、本発明に係る台間装置は、投出単位に満たない数量の遊技媒体を投出する必要がある場合に適している。
【符号の説明】
【００８０】
１    遊技システム
１０    Ｔ／Ｃ（ターミナルコントローラ）
２０    プリペイドカード管理Ｔ／Ｃ
３０    島コントローラ
４０    遊技機（パチンコ機）
５０    カード処理ユニット
５１    ＢＶユニット
５２    表示部
５３    入力部
５４    Ｃ／Ｒ（カードリーダ）
５５    通信制御ＩＦ部
５６    玉投出機構部
５７    記憶部
５７ａ  玉貸設定テーブル
５７ｂ  貸玉数振り分けテーブル
５８    制御部
５８ａ  玉貸し処理部
【図１】
2015091472.tif 000003
【図２】
2015091472.tif 000004
【図３】
2015091472.tif 000005
【図４】
2015091472.tif 000006
【図５】
2015091472.tif 000007
【図６−１】
2015091472.tif 000008
【図６−２】
2015091472.tif 000009
【図７】
2015091472.tif 000010